(57)【特許請求の範囲】
【請求項１】
空気調和機本体キャビネット内に熱交換器、送風機及び前記熱交換器から滴下するドレンを受けるドレンパンを配設するとともに、前記本体キャビネットの下部の開口部に配置する前面パネルに、吹出口及び吸込口を形成し、前記前面パネルに片開き式の吸込グリルを取付け、該吸込グリルに前記吸込口を覆うエアフィルターを装着した天井埋込型空気調和機において、
バネ性を持たせたフィルター押さえを、前面パネルの吸込口間に対応するように、エアフィルターの前記前面パネルの吸込口側に形成し、吸込グリルが前記前面パネル側に閉じたとき、前記エアフィルターが前記前面パネルと前記吸込グリルとの間で前記フィルター押さえにより押圧固定されることを特徴とする天井埋込型空気調和機。
【請求項２】
前記エアフィルターの一端に形成したＵ字状にしてバネ性を持たせた複数のツメと、反対側の他端に形成した複数の切り欠きとが、それぞれ対応して前記吸込グリルに形成した複数の穴と複数のツメとに嵌合し、前記エアフィルターを前記吸込グリルに固定し、又前記エアフィルターの他端側に取手部を設けたことを特徴とする請求項１記載の天井埋込型空気調和機。
【請求項３】
前記前面パネルの吹出口に設けたエアガイドを、前記前面パネルに形成した凸部に、前記凸部に対応する凹部を有する断熱部材の前記凹部を圧入して形成したことを特徴とする請求項１または請求項２に記載の天井埋込型空気調和機。
【請求項４】
前記凸部をくさび状にしたことを特徴とする請求項３記載の天井埋込型空気調和機。
【請求項５】
前記エアフィルターが、前記前面パネルの吸込口を覆う一体のエアフィルターであることを特徴とする請求項１〜請求項４のいずれかに記載の天井埋込型空気調和機。
【請求項６】
前記エアフィルターが、前記前面パネルの吸込口に応じて分割した複数のエアフィルターからなることを特徴とする請求項１〜請求項４のいずれかに記載の天井埋込型空気調和機。
【発明の詳細な説明】
【０００１】
【発明の属する技術分野】
この発明は、天井埋込型空気調和機に関し、特にエアフィルターのメンテナンス等に関するものである。
【０００２】
【従来の技術】
図８は、従来の天井埋込型空気調和機の全体斜視図であり、図８（ａ）が全体図であり、図８（ａ）、図８（ｂ）に全体図に該当部分を示したエアフィルターの取付け状態を拡大して示す。図９は、従来の天井埋込型空気調和機の全体断面図、図１０は、従来のエアフィルターを前面パネルに取付ける状態を示す要部拡大断面図また図１１は、従来の天井埋込型空気調和機の吹出口のエアガイドを示す要部拡大断面図である。
これらの図において、１は空気調和機本体キャビネットで、内部に熱交換器２、送風機３、ケーシング４、吹出しノズル５、風向ベーン６、熱交換器２から滴下するドレンを受けるドレンパン７が順次配設され、電気品８によって空気調和機は運転制御される。
また、天井開口部９によって解放された空気調和機本体の開口部は、ドレンパン７を挟んで形成された複数の吸込口１０を覆う様に配置されたエアフィルター２１と、開閉可能な吸込グリル２２を有した前面パネル２３にて閉塞されるとともに、空気調和機本体は天井内に固定される。
【０００３】
この時、エアフィルター２１の一端には複数のツメ２１ａと、反対側の他端には複数の取手を兼ねたＵ字状のリブ２１ｂが一体成型されており、同じく前面パネル２３に一体成型された複数のツメ２３ａとツメ２３ｂによりそれぞれ引っ掛け固定されているとともに、エアフィルター２１と前面パネル内面２３ｃの間に緩衝材（インスレーション）２４を取り付けて、エアフィルター２１のビビリ音防止を行っている。
さらに、前面パネル２３の吹出口１５には発泡断熱部材２５が配設され、前面パネル２３に一体成型された複数のボス２３ｄへ同じく前記発泡断熱部材２５に一体成型された複数の挿入穴２５ａを挿入し、ボス２３ｄの上からＯリング２６を圧入することにより前面パネル２３に発泡断熱部材２５が固定され、吹出口１５のエアガイドが形成されている。
【０００４】
【発明が解決しようとする課題】
従来の天井埋込型空気調和機は、以上のように構成されているので、エアフィルター２１が横長の形状で前面パネル２３側に取り付けられ、かつ、引っ掛けを兼ねたＵ字状のリブ２１ｂにより、エアフィルター２１に手が届き難いと共に取手部が変形しやすく、エアフィルター２１のメンテナンス性が良くないといった問題点があった。
また、緩衝材２４の取り付け及び発泡断熱部材２５を複数箇所、Ｏリング２６で固定していたため、組立性の悪化並びにコストアップといった問題点もあった。
【０００５】
この発明は、上記の様な問題点を解消するためになされたもので、エアフィルターのメンテナンス性を改良した天井埋込型空気調和機を得ることを目的とする。
また、エアフィルターのメンテナンス性を良くするとともに、組立性の改善並びにコストダウンを容易にする天井埋込型空気調和機を得ることを目的とする。
【０００６】
【課題を解決するための手段】
この発明の請求項１に係る天井埋込型空気調和機は、空気調和機本体キャビネット内に熱交換器、送風機及び前記熱交換器から滴下するドレンを受けるドレンパンを配設するとともに、本体キャビネットの下部の開口部に配置する前面パネルに、吹出口及び吸込口を形成し、前記前面パネルに片開き式の吸込グリルを取付け、該吸込グリルに吸込口を覆うエアフィルターを装着した天井埋込型空気調和機において、Ｕ字状にしてバネ性を持たせたフィルター押さえを、前面パネルの吸込口間に対応するように、エアフィルターの前記前面パネルの吸込口側に形成し、吸込グリルが前面パネル側に閉じたとき、エアフィルターが前面パネルと吸込グリルとの間でフィルター押さえにより押圧固定されるものである。
ここで、片開き式の吸込グリルとは、複数の片開き式の吸込グリルを組合わせたもの及び片開き式の吸込グリルを組合せて両側に開くものも含む。
【０００７】
また、請求項２に係る天井埋込型空気調和機は、請求項１の天井埋込型空気調和機において、エアフィルターの一端に形成したＵ字状にしてバネ性を持たせた複数のツメと、反対側の他端に形成した複数の切り欠きとが、それぞれ対応して吸込グリルに形成した複数の穴と複数のツメとに嵌合し、エアフィルターを吸込グリルに固定し、又エアフィルターの他端側に取手部を設けたものである。
【０００９】
また、請求項４に係る天井埋込型空気調和機は、請求項１〜請求項３のいずれかの天井埋込型空気調和機において、前面パネルの吹出口に設けたエアガイドを、前面パネルに形成した凸部に、凸部に対応する凹部を有する断熱部材の凹部を圧入して形成したものである。
【００１０】
また、請求項５に係る天井埋込型空気調和機は、請求項４記載の天井埋込型空気調和機において、凸部をくさび状にしたものである。
【００１１】
また、請求項６に係る天井埋込型空気調和機は、請求項１〜請求項５のいずれかに記載の天井埋込型空気調和機において、エアフィルターが、前面パネルの吸込口を覆う一体のエアフィルターであるものである。
【００１２】
また、請求項７の天井埋込型空気調和機は、請求項１〜請求項５のいずれかに記載の天井埋込型空気調和機において、エアフィルターが、前面パネルの吸込口に応じて分割した複数のエアフィルターからなるものである。
【００１３】
【発明の実施の形態】
実施の形態１．
以下、この発明の実施の形態１について図に基づいて説明する。
図１は、実施の形態１の天井埋込型空気調和機の全体を示す斜視図であり、図１（ａ）は全体を示し、この全体図に該当部分を明示して、図１（ｂ）及び図１（ｃ）に、エアフィルターを吸込グリルに装着する部分図を示している。
図２は、同じく天井埋込型空気調和機の全体を示す断面図である。
図３は、同じく天井埋込型空気調和機のエアフィルターの取付け状態を示す要部拡大断面図、図４は、エアフィルターのフィルター押さえの取付け状態を示す要部拡大断面図である。
【００１４】
これらの図において、１は空気調和機本体キャビネットであり、内部に熱交換器２、送風機３、ケーシング４、吹出しノズル５、風向ベーン６、熱交換器２から滴下するドレンを受けるドレンパン７が順次配設される。８は電気品であり、電気品８によって空気調和機は運転制御される。そして、天井開口部９によって解放された空気調和機本体の開口部を開閉可能な吸込グリル１２を有した前面パネル１３により閉塞し、空気調和機本体は天井内に埋込まれ、固定される。
また、ドレンパン７を挟んで形成された吸込口１０を覆う様に一体成型されたエアフィルター１８が、吸込グリル１２に装着される。吸込グリル１２は、前面パネル１３から片開きにより、開閉される。
【００１５】
さらに、１８ａはエアフィルター１８の一端をＵ字状にしてバネ性を持たせた複数のツメ、１８ｂは同じくエアフィルター１８の反対側の他端に設けた複数の取手部、１８ｃは取手部１８ｂの近傍に設けた複数の凹状の切り欠きであり、それぞれ、前記エアフィルター１８に一体成型されている。そして、吸込グリル１２を前面パネル１３から開いたとき（片開きしたとき）、エアフィルター１８の一端のツメ１８ａは、前面パネル１３側となり、他端に形成した取手部１８ｂと切り欠き１８ｃは、前面パネル１３から離れる側となる。
また、１２ａは吸込グリル１２の複数の穴、１２ｂは同じく吸込グリル１２の複数のツメであり、それぞれ、前記吸込グリル１２に一体成型されている。
【００１６】
エアフィルター１８のこれらの複数のツメ１８ａと複数の凹状の切り欠き１８ｃは、それぞれ、吸込グリル１２の複数の穴１２ａとツメ１２ｂと対応しており、図１（ｂ）、（ｃ）及び図３に示すように、エアフィルター１８を吸込グリル１２に装着する時には、前記エアフィルター１８の一端に設けたＵ字状の複数のツメ１８ａと反対側の他端の取手部１８ｂ近傍に設けた複数の切り欠き１８ｃが、吸込グリル１２に一体成型された複数の穴１２ａとツメ１２ｂによりそれぞれ引っ掛け、嵌め合せることにより、エアフィルター１８は、吸込グリル１２に装着される。
【００１７】
エアフィルター１８のメンテナンス時には、吸込グリル１２を開いて、片開きにより前面パネル１３から離れて手前にくる取手部１８ｂを掴んで、手前の切り欠き１８ｃをツメ１２ｂから外し、エアフィルター１８を引っ張り、奥のツメ１８ａを穴１２ａから外し、エアフィルター１８を取り出す。また、エアフィルター１８を取付ける場合は、先端のツメ１８ａを穴１２ａに嵌めこみ、手前の切り欠き１８ｃをツメ１２ｂに掛ける。
【００１８】
このように、エアフィルター１８のメンテナンス時には、吸込グリル１２を片開きにし、取手部が手前にくるので、エアフィルター１８に手が届き易く、また、エアフィルター１８のツメ１８ａと切り欠き１８ｃとを、それぞれ、吸込グリルの穴１２ａとツメ１２ｂに着脱すことにより、取手部を変形することなくエアフィルター１８を吸込グリル１２へ容易に着脱でき、メンテナンス性を良くすることができる。
【００１９】
さらに、図１（ｄ）及び図４に示すように、エアフィルター１８には、Ｕ字状にしてバネ性を持たせた複数のフィルター押さえ１８ｄを、前面パネル１３の各吸込口１０間に対応するように、一体成型で形成し、吸込グリル１２を前面パネル１３へ閉じた時にこのフィルター押さえ１８ｄが前面パネル内面１３ｃと干渉するようにしている。
【００２０】
吸込グリル１２を前面パネル１３へ閉じた時には、複数のフィルター押さえ１８ｄが前面パネル内面１３ｃと干渉し、エアフィルター１８のガタツキを抑える。
なお、フィルター押さえ１８ｄは、略Ｕ字状の凸部を前面パネル内面１３ｃ側として配置する。
また、フィルター押さえ１８ｄの形状は、Ｕ字状でなくてもよく、渦巻バネを取付け、そのバネ性を利用してもよい。
さらに、フィルター押さえ１８ｄの設置数量は、エアフィルター１８のガタツキが防止できれば、１個以上で特に問わない。
【００２１】
実施の形態２．
図５は、実施の形態２のエアフィルターを示す斜視図である。
図において、１９は吸込口１０の長さに応じて同一形状で分割させたエアフィルターであり、即ち、実施の形態１のエアフィルター１８を吸込口１０の長さに応じて同一形状で分割させたものであり、図１（ａ）において、エアフィルター１８を長手方向（図で横方向）に２分割したものである。
また、各分割エアフィルター１９は、実施の形態１と同様に一端をＵ字状にしてバネ性を持たせ複数のツメ１９ａと、反対側の他端には取手部１９ｂの近傍に設けた複数の凹状の切り欠き１９ｃを、さらに、吸込グリル１２を前面パネル１３へ閉じた時に前面パネル内面１３ｃと干渉させたフィルター押さえ１９ｄがそれぞれエアフィルター１９に一体成型されている。
その他の構成は、実施の形態１と同じであり、説明を省略する。
【００２２】
各エアフィルター１９を吸込グリル１２に装着する時には、エアフィルター１９の一端に設けた複数のツメ１９ａと他端に設けた複数の切り欠き１９ｃが、吸込グリル１２に一体成型された複数の穴１２ａとツメ１２ｂによりそれぞれ引っ掛け固定される。エアフィルター１９の一端、他端の方向及び吸込グリル１２への装着方法も実施の形態１と同じである。
分割したエアフィルター１９とすることにより、エアフィルター１９が小型化し、取扱いが容易となり、より一層メンテナンス性が良くなる。
また、吸込グリル１２を前面パネル１３へ閉じた時には、複数のフィルター押さえ１９ｄが前面パネル内面１３ｃと干渉し、エアフィルター１９のガタツキを抑える。
【００２３】
なお、エアフィルター１９の分割は、２分割とは限らず、特に大型の場合は３分割以上とすることで取扱いが容易となる。
また、吸込グリル１２も分割して、それぞれが開閉できるようにしてもよい。即ち、本実施の形態の場合では、２分割して、それぞれに２分割したエアフィルター１９を装着する。このようにすれば、吸込グリル１２の開閉も容易となり、メンテナンスがより容易となる。
さらに、吸込グリル１２の開閉方式は、複数の片開き式の吸込グリルを組合わせたもの、または、片開き式の吸込グリルを組合せて両側に開くものとし、それぞれにエアフィルター１９を装着してもよい。このようにすれば、吹出口１５の配置等に応じて、好ましいエアフィルター１９のメンテナンスが可能となる。
【００２４】
実施の形態３．
本実施の形態は、前面パネルの吹出口に設けたエアガイドの改善に関するものである。その他の構成は、実施の形態１または実施の形態２と同じである。
図６及び図７は、この実施の形態３の天井埋込型空気調和機の前面パネルの吹出口に設けたエアガイドを示す部分拡大図である。
図６において、１３ｅは吹出口１５の長手方向に沿って、前面パネル１３に一体成型させた凸部であり、１６ｂは同じく吹出口１５の長手方向に沿って形成された断熱部材である発泡断熱部材１６に、前記の凸部に対応するように、その下部に一体成型した凹部である。前面パネル１３の吹出口１５に配設した発泡断熱部材１６に一体成型した凹部１６ｂを、前面パネル１３に一体成型した凸部１３ｅに圧入することにより、エアガイドが形成される。
【００２５】
この際、前面パネル１３に一体成型した凸部１３ｅを、発泡断熱部材１６に一体成型した凹部１６ｂより若干大きめにすることにより、圧入することで発泡断熱部材１６は固定され、発泡断熱部材１６は前面パネル１３の凸部１３ｅに固定され、前面パネル１３の吹出口１５に配設される。
本実施の形態では、Ｏリング等の余分な部品を使用せずにエアガイドが形成でき、エアガイドとして有効であるとともに、組立性の改善並びにコストダウンを図ることができる。
【００２６】
なお、上記では発泡断熱材１６に一体成型した凹部１６ｂよりも、前面パネル１３に一体成型させた凸部１３ｅを若干大きめにしたものを示したが、図７に示すように、凸部の圧入部分をくさび状にしてもよい。１３ｆは圧入部分をくさび状にした凸部である。
【００２７】
この場合は、発泡断熱部材１６に一体成型した凹部１６ｂを、圧入部分をくさび状にして前面パネル１３に一体成型させた凸部１３ｆへ圧入することにより、より確実に固定され、前面パネル１３の吹出口１５に配設され、エアガイドが形成される。
【００２８】
なお、発泡断熱部材１６は、断熱部材であればよい。
また、発泡断熱部材１６は、吹出口１５の長手方向に沿って、長い一体の部材で、断続的に複数の凹部１６ｂが形成され、また、前面パネル１３は、発泡断熱部材１６の複数の凹部１６ｂに対応して、複数の凸部１３ｅを断続して形成してもよい。さらに、発泡断熱部材１６は、凹部１６ｂを有する分割部材とし、これらをつないでエアガイドとしてもよい。
【００２９】
【発明の効果】
この発明の請求項１に係る天井埋込型空気調和機は、空気調和機本体キャビネット内に熱交換器、送風機及び前記熱交換器から滴下するドレンを受けるドレンパンを配設するとともに、本体キャビネットの下部の開口部に配置する前面パネルに、吹出口及び吸込口を形成し、前面パネルに片開き式の吸込グリルを取付け、該吸込グリルに吸込口を覆うエアフィルターを装着した天井埋込型空気調和機において、Ｕ字状にしてバネ性を持たせたフィルター押さえを、前面パネルの吸込口間に対応するように、エアフィルターの前記前面パネルの吸込口側に形成し、吸込グリルが前面パネル側に閉じたとき、エアフィルターが前面パネルと吸込グリルとの間でフィルター押さえにより押圧固定されるので、エアフィルターの取付け、取外しの際、吸込グリルを開くことにより、エアフィルターに手が届き易く、メンテナンス性を良くすることができ、さらにエアフィルターのビビリ音防止が可能となり、又余分な緩衝材を無くすことができ、組立性の改善並びにコストダウンを図ることができる。
【００３０】
また、請求項２に係る天井埋込型空気調和機は、請求項１の天井埋込型空気調和機において、エアフィルターの一端に形成したＵ字状にしてバネ性を持たせた複数のツメと、反対側の他端に形成した複数の切り欠きとが、それぞれ対応して吸込グリルに形成した複数の穴と複数のツメとに嵌合し、エアフィルターを吸込グリルに固定し、又エアフィルターの他端側に取手部を設けたので、エアフィルターのツメと切り欠きとを、吸込グリルの穴とツメに着脱すことにより、取手部を変形することなくエアフィルターを吸込グリルへ着脱でき、メンテナンス性を良くすることができる。
【００３２】
また、請求項４に係る天井埋込型空気調和機は、請求項１〜請求項３のいずれかの天井埋込型空気調和機において、前面パネルの吹出口に設けたエアガイドを、前面パネルに形成した凸部に、凸部に対応する凹部を有する断熱部材の凹部を圧入して形成したので、Ｏリング等の余分な部品を使用せずにエアガイドが形成でき、エアガイドとして有効であるとともに、組立性の改善並びにコストダウンを図ることができる。
【００３３】
また、請求項５に係る天井埋込型空気調和機は、請求項４記載の天井埋込型空気調和機において、凸部をくさび状にしたので、断熱部材の凹部にくさび状にした凸部がくい込んで、より確実に断熱部材を前面パネルの吹出口に固定することができる。
【００３４】
また、請求項６に係る天井埋込型空気調和機は、請求項１〜請求項５のいずれかに記載の天井埋込型空気調和機において、エアフィルターが、前面パネルの吸込口を覆う一体のエアフィルターとしたので、エアフィルターの着脱は、１個のエアフィルターの着脱でよく、着脱の手間が省ける。
【００３５】
また、請求項７の天井埋込型空気調和機は、請求項１〜請求項５のいずれかに記載の天井埋込型空気調和機において、エアフィルターが、前面パネルの吸込口に応じて分割した複数のエアフィルターからなるので、エアフィルターが小型化し、エアフィルターの取り扱いが楽になり、より一層メンテナンス性を良くすることができる。
【図面の簡単な説明】
【図１】  この発明の実施の形態１の天井埋込型空気調和機を示す全体斜視図である。
【図２】  この発明の実施の形態１の天井埋込型空気調和機を示す全体断面図である。
【図３】  この発明の実施の形態１の天井埋込型空気調和機のエアフィルターの取付け状態を示す要部拡大断面図である。
【図４】  この発明の実施の形態１の天井埋込型空気調和機のフィルター押えの取付け状態を示す要部拡大断面図である。
【図５】  この発明の実施の形態２の天井埋込型空気調和機の分割エアフィルターを示す全体斜視図である。
【図６】  この発明の実施の形態３の天井埋込型空気調和機の吹出口のエアガイドを示す部分拡大図である。
【図７】  この発明の実施の形態３の天井埋込型空気調和機の別の吹出口のエアガイドを示す部分拡大図である。
【図８】  従来の天井埋込型空気調和機を示す全体斜視図である。
【図９】  従来の天井埋込型空気調和機を示す全体断面図である。
【図１０】  従来の天井埋込型空気調和機のエアフィルターの取付け状態を示す要部拡大断面図である。
【図１１】  従来の天井埋込型空気調和機の吹出口のエアガイドを示す部分拡大図である。
【符号の説明】
１  空気調和機本体キャビネット、２  熱交換器、３  送風機、７  ドレンパン、１０  吸込口、１２  吸込グリル、１２ａ  穴、１２ｂ  ツメ、１３  前面パネル、１３ｅ  凸部、１３ｆ  くさび状凸部、１５  吹出口、１６  断熱部材、１６ｂ  凹部、１８  エアフィルター、１８ａ  ツメ、１８ｂ  取手部、１８ｃ  切り欠き、１８ｄフィルター押さえ、１９  分割エアフィルター、１９ａ  ツメ、１９ｂ  取手部、１９ｃ  切り欠き、１９ｄ  フィルター押さえ。
【図１】
0003845795.tif 000002
【図２】
0003845795.tif 000003
【図３】
0003845795.tif 000004
【図４】
0003845795.tif 000005
【図５】
0003845795.tif 000006
【図６】
0003845795.tif 000007
【図７】
0003845795.tif 000008
【図８】
0003845795.tif 000009
【図９】
0003845795.tif 000010
【図１０】
0003845795.tif 000011
【図１１】
0003845795.tif 000012